(57)【特許請求の範囲】
【請求項１】
大きさが概ね等しい多数の食鳥のドラムスティックを所望の雰囲気下に設置するためのラックに用いるドラムスティック懸垂具であって、
当該ドラムスティック懸垂具は、前記ラックのフレームに水平方向に架け渡してラック内に設置可能な棒状体と、
当該棒状体の側方において、当該棒状体の軸方向に対して直交方向に延伸し、前記ドラムスティックを保持して懸垂させる複数の保持部と、を備え、
前記保持部は、一対のフック部を備え、かつ、前記棒状体の側面において所定の間隔を空けて櫛歯状に配され、
前記一対のフック部は、少なくとも一方の前記フック部が前記ドラムスティックの皮又は肉部に突き刺し可能に構成され、かつ、前記一対のフック部の互いの間隔は、少なくとも一部が前記ドラムスティックの踵側の骨の関節の膨張部の幅よりも小に構成されて、前記膨張部を前記一対のフック部により前記ドラムスティックの両側より支持して当該ドラムスティックを膝側が下方になるように懸垂可能であることを特徴とするドラムスティック懸垂具。
【請求項２】
前記一対のフック部は互いに平行に配されていることを特徴とする請求項１に記載のドラムスティック懸垂具。
【請求項３】
前記一対のフック部は、前記棒状体から離れるに従い互いの距離が漸次大きくなるように配されていることを特徴とする請求項１に記載のドラムスティック懸垂具。
【請求項４】
前記一対のフック部は前記棒状体から当該棒状体の軸方向に対して直交方向で複数の方向に延伸して配されることを特徴とする請求項１に記載のドラムスティック懸垂具。
【請求項５】
前記棒状体の端部近傍には、前記ドラムスティック懸垂具の回動を防止する回動防止片が固定され、当該回動防止片は、前記棒状体に直交するように当該棒状体に固定される棒状の部材であって、前記回動防止部材が前記ラックフレームに接触することにより、前記ドラムスティック懸垂後の回動が防止されることを特徴とする請求項１に記載のドラムスティック懸垂具。
【請求項６】
前記ドラムスティックには、上腿部が付いていることを特徴とする請求項１に記載のドラムスティック懸垂具。
【請求項７】
前記食鳥は鶏であることを特徴とする請求項１に記載のドラムスティック懸垂具。
【請求項８】
前記所望の雰囲気下は、加熱処理、冷却処理、蒸気処理、燻蒸処理、燻煙処理又は乾燥処理下の雰囲気であることを特徴とする請求項１に記載のドラムスティック懸垂具。
【請求項９】
請求項１乃至請求項８のうち、いずれか１に記載のドラムスティック懸垂具及び、当該ドラムスティック懸垂具を設置するためのラックの組であって、
前記ラックのフレームは、前記ドラムスティック懸垂具を垂直方向に複数、かつ、水平方向に複数整列させて設置可能であることを特徴とする組。
【請求項１０】
前記フレームは、前記ドラムスティック懸垂具を設置する箇所を位置決め可能なガイド部を備えることを特徴とする請求項９に記載の組。
【請求項１１】
前記ラックは、底部に車輪を備えて移動可能であることを特徴とする請求項９に記載の組。
【発明の詳細な説明】
【技術分野】
【０００１】
本発明は、多数の食鳥のドラムスティックに対して、燻煙・燻蒸等の処理をするにあたり、より多くのドラムスティックをより効率よく処理するためのドラムスティック懸垂具及びドラムスティック懸垂具とこれを設置するためのラックの組に関する。
【背景技術】
【０００２】
市場においては、鶏、合鴨、七面鳥といった食鳥のドラムスティックが燻製にされた状態で流通している。また、ドラムスティックに上腿部分が付いた状態のチキンレッグもやはり、燻製にされた状態で流通している。以下、ドラムスティック及びチキンレッグをまとめてドラムスティック等と称する。
【０００３】
このドラムスティック等を燻製にするための工場規模での燻煙・燻蒸処理については、従来、以下のようなラックにドラムスティック等を載置して行われてきた。図７は、従来の処理用のラックを示す図であり、（ａ）は従来の処理用のラックにチキンレッグを載置した状態を示す斜視図であり、（ｂ）はラックに載置したチキンレッグを示す断面説明図である。
【０００４】
図７（ａ）に示すように、従来のドラムスティック等の処理用のラック１１０は、下端に移動可能なように車輪の付いた４本の主支柱１１１と、横桟により４本の主支柱１１１を連結し、横桟により囲まれたスペースに網部１１２ａを配置することで載置部１１２が上下に複数段、形成されている。
【０００５】
この場合、図７（ｂ）にも示すように、不織布等で構成された合成紙の敷紙１１３を敷き、その上部にドラムスティック等（図７においてはチキンレッグ２０）を並べて、燻煙・燻蒸等の雰囲気下に置くことで工場規模の処理を行ってきた。
【０００６】
この敷紙１１３は、燻煙・燻蒸処理の際、網部１１２ａにドラムスティック等の肉が食い込み、それら処理の後、ドラムスティック等を取り出す際に熱変性した皮・肉の一部が網部１１２ａに固着して残り、ドラムスティック等の表面部分がちぎれることに起因する不良品発生防止のために用いられるものである。
【０００７】
また、ドラムスティック等をオーブン又はグリル内でローストや、燻煙等する技術として、以下の懸垂具が提案されている。即ち、その懸垂具は、セルロース材料等で構成された帯状の懸垂具であって、一端側がドラムスティック等に巻き回されて、ドラムスティック等を外部から支持している。
【０００８】
また、懸垂具の他端側は、オーブン・グリルの内部のラックのバー又はリングに懸垂具及び懸垂具に支持されたドラムスティック等を懸垂させるべく、鉤状に構成されており、これにより、ドラムスティック等をオーブン内で懸垂させてロースト等の処理を可能としている（特許文献１乃至特許文献３）。
【先行技術文献】
【特許文献】
【０００９】
【特許文献１】特表２０１４−５１６５５５号公報
【特許文献２】特表２０１４−５１６５５６号公報
【特許文献３】特表２０１４−５２１３９６号公報
【発明の概要】
【発明が解決しようとする課題】
【００１０】
図７（ａ）に示すように、従来のラックはドラムスティック等を水平方向に並べて載置しており、そのため載置用のネットの上に敷紙を敷き、その上にドラムスティック等を並べていたが、ドラムスティック等の敷紙側の部分については、燻煙・燻蒸等の処理に時間がかかり、工場規模での大量生産の要請から載置されたドラムスティック等を裏返す等の処置も困難であるから、載置されたドラムスティック等の敷紙側まで処理が完了するには非常に長い時間を要するとともに、載置されたドラムスティック等の敷紙側とそれ以外の部分とで処理のムラが生じてしまっていた。
【００１１】
また、図７に示すように、従来のラックはドラムスティック等を水平方向に並べて載置しており、そのため載置用のネットの上に敷紙を敷き、その上にドラムスティック等を並べていたが、図７（ｂ）に示すように、ドラムスティックの敷紙側の部分については、燻煙・燻蒸等の処理により肉汁がドラムスティック等の内部から溢れ出し、燻煙・燻蒸等の熱により、肉汁が、肉汁内のたんぱく質の熱変性により敷紙とドラムスティック等の間で凝固してしまい（図7（ｂ）におけるゼラチン状の肉汁１１５）、燻煙・燻蒸等の処理の妨げとなるとともに、ゼラチン状に固まった肉汁をドラムスティックから除去する作業が生じてしまっていた。
【００１２】
また、ドラムスティック等を水平方向に多数並べて載置していた従来技術では、載置されたドラムスティック等自体が垂直方向の気体の流れを遮ってしまい、燻煙・燻蒸等の処理に時間を要しており、効率的な処理が望まれている。
【００１３】
また、従来のラックは、ラック自体にドラムスティック等を載置して並べる必要があり、ドラムスティック等をひとつひとつラックに載置するのは、ラックの奥まった部分を含め労力を伴うものであった。
【００１４】
また、従来はドラムスティック等を水平方向に並べてラックの網部に載置しており、ドラムスティック等の皮・肉が網部に固着してしまうことを防止するべく、網部の上に敷紙を敷き、その上にドラムスティック等を並べていたが、ドラムスティック等の敷紙との接触部分については、敷紙を用いた場合であっても、敷紙と接触する食鳥の皮・肉が敷紙自体に張り付いて剥がれてしまうことがあった。
【００１５】
また、特許文献１乃至特許文献３に示す従来の懸垂具は、ここのドラムスティック等に巻き回し、かつ、ラックのバーや、リングに懸垂具を設置する必要があり、ドラムスティックを懸垂状態とするための工数が多く、大量生産には不向きであり、工場規模での実施は困難であった。
【課題を解決するための手段】
【００１６】
上記目的達成のため、本発明のドラムスティック懸垂具は、大きさが概ね等しい多数の食鳥のドラムスティックを所望の雰囲気下に設置するためのラックに用いるドラムスティック懸垂具であって、当該ドラムスティック懸垂具は、前記ラックのフレームに水平方向に架け渡してラック内に設置可能な棒状体と、当該棒状体の側方において、当該棒状体の軸方向に対して直交方向に延伸し、前記ドラムスティックを保持して懸垂させる複数の保持部と、を備え、前記保持部は、一対のフック部を備え、かつ、前記棒状体の側面において所定の間隔を空けて櫛歯状に配され、前記一対のフック部は、少なくとも一方の前記フック部が前記ドラムスティックの皮又は肉部に突き刺し可能に構成され、かつ、前記一対のフック部の互いの間隔は、少なくとも一部が前記ドラムスティックの踵側の骨の関節の膨張部の幅よりも小に構成されて、前記膨張部を前記一対のフック部により前記ドラムスティックの両側より支持して当該ドラムスティックを膝側が下方になるように懸垂可能であることを特徴とする。
【００１７】
また、本発明における前記一対のフック部は互いに平行に配されていることを特徴とする。
【００１８】
また、本発明における前記一対のフック部は、前記棒状体から離れるに従い互いの距離が漸次大きくなるように配されていることを特徴とする。
【００１９】
また、本発明における前記一対のフック部は前記棒状体から当該棒状体の軸方向に対して直交方向で複数の方向に延伸して配されることを特徴とする。
【００２０】
また、本発明における前記棒状体の端部近傍には、前記ドラムスティック懸垂具の回動を防止する回動防止片が固定され、当該回動防止片は、前記棒状体に直交するように当該棒状体に固定される棒状の部材であって、前記回動防止部材が前記ラックフレームに接触することにより、前記ドラムスティック懸垂後の回動が防止されることを特徴とする。
【００２１】
また、本発明における前記ドラムスティックには、上腿部が付いていることを特徴とする。
【００２２】
また、本発明における前記食鳥は鶏であることを特徴とする。
【００２３】
また、本発明における前記所望の雰囲気下は、加熱処理、冷却処理、蒸気処理、燻蒸処理、燻煙処理又は乾燥処理下の雰囲気であることを特徴とする。
【００２４】
また、本発明における前記ラックについて、前記フレームは、前記ドラムスティック懸垂具を垂直方向に複数、かつ、水平方向に複数整列させて設置可能であることを特徴とする。
【００２５】
また、本発明における前記ラックについて、前記フレームは、前記ドラムスティック懸垂具を設置する箇所を位置決め可能なガイド部を備えることを特徴とする。
【００２６】
また、本発明の前記ラックは、底部に車輪を備えて移動可能であることを特徴とする。
【発明の効果】
【００２７】
本発明のドラムスティック懸垂具及びドラムスティック懸垂具とこれを設置するためのラックの組によれば、ドラムスティック等を懸垂状態で各種処理が可能であるため、水平方向に並べてドラムスティック等を載置して処理する場合に比べて格段に多くのドラムスティック等の処理が可能となる。
【００２８】
また、本発明のドラムスティック懸垂具及びドラムスティック懸垂具とこれを設置するためのラックの組によれば、ドラムスティック等を懸垂して処理可能であるため、載置されたドラムスティック等の敷紙側とそれ以外の部分との処理のムラの発生を防止することが可能であるとともに、このムラの存在をも考慮して処理を施す必要がないため、処理時間も短縮される。
【００２９】
また、本発明のドラムスティック懸垂具及びドラムスティック懸垂具とこれを設置するためのラックの組によれば、ドラムスティック等を懸垂状態で燻煙・燻蒸等の各種処理が可能であるため、肉汁は下方に滴り落ちていくため、肉汁がドラムスティック等にまとわりついてゼラチン状に凝固することもなく、ドラムスティック等が懸垂状態であることとも相まって、ドラムスティック等の表面すべてをまんべんなく燻煙・燻蒸等の各種処理が可能である。
【００３０】
そのため、ドラムスティック等の表面からゼラチン状に凝固した肉汁を除去する作業も行う必要がなく、工数を減らすことが可能である。
【００３１】
また、本発明のドラムスティック懸垂具及びドラムスティック懸垂具とこれを設置するためのラックの組によれば、ドラムスティック等が懸垂状態となっているため、気体の流れを遮ることがなく、効率的な処理が可能である。
【００３２】
また、本発明のドラムスティック懸垂具及びドラムスティック懸垂具とこれを設置するためのラックの組によれば、ドラムスティック懸垂具が、棒状体と、棒状体の側面において所定の間隔を空けて櫛歯状に配された保持部のみで構成されるため、ドラムスティック懸垂具自体も気体の流れを遮ることがなく、効率よくドラムスティック等の処理が可能である。
【００３３】
また、本発明のドラムスティック懸垂具及びドラムスティック懸垂具とこれを設置するためのラックの組によれば、一対のフック部は、少なくとも一方のフック部がドラムスティック等の皮及びその内部の肉部に突き刺し可能に構成され、かつ、一対のフック部の互いの間隔が、少なくとも一部がドラムスティック等の踵側の関節の膨張部の骨幅よりも小に構成されることにより、ドラムスティック等を骨とその周囲の肉部の両面から保持可能であるため、強固に保持して懸垂可能である。
【００３４】
そのため、結果的にドラムスティック等の踵側の膨張部を２つのフック部によりドラムスティック等の両側より保持してドラムスティック等を膝側が下方になるように懸垂可能であり、かつ、一対のフック部の互いの間隔が、少なくとも一部がドラムスティック等の踵側関節の膨張部の骨幅よりも小に構成されていることにより、物理的にドラムスティック等がフック部から落下すること自体を防止可能である。
【００３５】
また、本発明のドラムスティック懸垂具及びドラムスティック懸垂具とこれを設置するためのラックの組によれば、ラックとは別の場所でまず各々のドラムスティック懸垂具に複数のドラムスティックを懸垂させ、その後、ラックに対してドラムスティックが既に懸垂された状態のドラムスティック懸垂具を載置するのみで良いため、作業効率が向上する。
【００３６】
また、本発明のドラムスティック懸垂具及びドラムスティック懸垂具とこれを設置するためのラックの組によれば、敷紙を利用することなく燻煙・燻蒸等の処理が可能であり、コストの低減が可能である。
【００３７】
また、本発明のドラムスティック懸垂具及びドラムスティック懸垂具とこれを設置するためのラックの組によれば、ドラムスティック等が懸垂されるため、従来のラックが使用していたような敷紙を使用する必要がないことから、敷紙にドラムスティック等が張り付いてしまうこともなく、ドラムスティック等をフック部から取り外すのみで、ドラムスティック懸垂具から綺麗な状態で取り外し可能である。
【００３８】
また、そのため、本発明のドラムスティック懸垂具及びドラムスティック懸垂具とこれを設置するためのラックの組によれば、一対のフック部の少なくとも一方がドラムスティック等の皮又は肉部に突き刺し可能に構成されているため、一対のフック部の両者がドラムスティックに突き刺されてドラムスティック等を懸垂状態で支持した場合はドラムスティック等の表面にフック部が張り付くものでもない。また、他方のフックが仮にドラムスティック等の外側からドラムスティック等を支持した場合であっても、わずかにフック部の形状の線状でドラムスティック等の表面に接触するのみである。
【００３９】
そのため、敷紙上にドラムスティック等を載置する場合に比して、ドラムスティック等とその懸垂具の接触面積を劇的に減らすことが可能であり、ドラムスティック等がその懸垂具に張り付いて表面の皮・肉が張り付いて剥がれてしまうことが防止される。
【００４０】
また、本発明のドラムスティック懸垂具及びドラムスティック懸垂具とこれを設置するためのラックの組によれば、懸垂具のフック部に、ドラムスティック等を突き刺すのみで、容易にドラムスティック等を懸垂状態とすることが可能であり、複数のドラムスティック等が懸垂された懸垂具をラックに設置するのみで容易に多数のドラムスティック等を懸垂状態とすることが可能である。
【００４１】
また、本発明のドラムスティック懸垂具及びドラムスティック懸垂具とこれを設置するためのラックの組によれば、一対のフック部は、互いのフック部間の距離が、棒状体から離れるに従い、漸次離間するように配されているため、食鳥の大きさ等にばらつきがある場合であっても、種々の大きさのドラムスティック等に対応可能であり、そのような食鳥の個体差が大きい場合であっても一対のフック部に対してドラムスティック等を設置することが可能となる。
【００４２】
また、本発明のドラムスティック懸垂具及びドラムスティック懸垂具とこれを設置するためのラックの組によれば、ドラムスティックにさらに食鳥の上腿部が付いたチキンレッグに対しても適用可能であり、ドラムスティックに対して奏する作用効果を等しく奏することが可能である。
【図面の簡単な説明】
【００４３】
【図１】本発明の第１の実施形態に係るラックのチキンレッグを懸垂した状態の斜視図である。
【図２】図１のラックの構造を示す斜視図である。
【図３】本発明に係る懸垂具の斜視図である。
【図４】図３の懸垂具にチキンレッグを懸垂した状態を懸垂具の側方から見た説明図である。
【図５】図２のラックに対する懸垂具の設置方法をラック内側から見た状態で示す説明図である。
【図６】本発明の第２の実施形態に係る懸垂具のフック部を示す斜視図である。
【図７】従来の処理用のラックを示す図であり、（ａ）は従来の処理用のラックにチキンレッグを載置した状態を示す斜視図であり、（ｂ）はラックに載置したチキンレッグを示す断面説明図である。
【発明を実施するための形態】
【００４４】
以下、図面を参照して、本発明によるドラムスティック懸垂具及びドラムスティック懸垂具とこれを設置するためのラックの組を実施するための形態について説明する。
【００４５】
また、本発明のドラムスティック懸垂具及びドラムスティック懸垂具とこれを設置するためのラックの組は、多数の食鳥のドラムスティック等を懸垂状態でラックに設置して燻煙・燻蒸等の処理をすることにより、より多くのドラムスティックをより効率的に処理することを可能とするものである。
【００４６】
［本発明に係る第１の実施形態］
まず、本発明のドラムスティック懸垂具及びドラムスティック懸垂具とこれを設置するためのラックの組の第１の実施形態を図１乃至図５を用いて説明する。図１は、本発明の第１の実施形態に係るラックのチキンレッグを懸垂した状態の斜視図である。図２は、図１のラックの構造を示す斜視図である。図３は、本発明に係る懸垂具の斜視図である。図４は、図３の懸垂具にチキンレッグを懸垂した状態を懸垂具の側方から見た説明図である。図５は、図２のラックに対する懸垂具の設置方法ラック内側から見た状態で示す説明図である。
【００４７】
[ドラムスティック懸垂具及びドラムスティック懸垂具とこれを設置するためのラックの組の構成の概要]
本発明の第１の実施形態に係るドラムスティック懸垂具及びドラムスティック懸垂具とこれを設置するためのラックの組の構成の概要について、図１及び図２を用いて説明する。
【００４８】
図１及び図２に示すように、本発明のラック１０は、アルミ等のフレームを組み合わせて自立可能に構成され、ラック１０のフレームにドラムスティック懸垂具１（懸垂具１）を垂直方向に複数、かつ、水平方向に複数整列させて設置（載置）可能に構成され、懸垂具１には複数のドラムスティック等２０（図１乃至図５においてはチキンレッグ２０）を懸垂可能である。
【００４９】
そのため、ラック１０に対しては、ドラムスティック等２０を複数懸垂した状態の懸垂具１を垂直方向に複数段、かつ、水平方向に複数列、整列させて載置可能であり、大量のドラムスティック等２０を所望の雰囲気下で処理可能である。
【００５０】
尚、この所望の雰囲気下とは、例えば、加熱処理、冷却処理、蒸気処理、燻蒸処理、燻煙処理又は乾燥処理下の雰囲気が挙げられる。
【００５１】
[ラックの構成及び作用]
図２及び図５を用いてラック１０の構成及び作用について説明する。
【００５２】
ラック１０は、図２に示すようにフレームの組み合わせによって構成され、鉛直方向に立設する２本の主支柱１１と、各々の主支柱１１の下端に固定されてラック１０が設置される床面と平行に配される支持桟１７、支持桟１７の床面側に配されてラック１０の移動を可能とする複数の車輪１８と、主支柱１１の上端部に両端部が各々固定されて２本の主支柱１１を互いに連結する上部連結桟１５と、各々の支持桟１７に複数設けられて２本の支持桟１７を互いに連結する下部連結桟１６により、移動可能かつ自立可能に構成されている。
【００５３】
また、２本の主支柱１１には、所定の間隔で主支柱１１の左右に伸びる棒受桟１２が複数、各々の主支柱１１で同じ個所に固定されている。この棒受桟１２は、懸垂具１の端部を載置して、懸垂具１のラック１０への固定を可能とするものであり、懸垂具１は図２に示すように、各々の主支柱１１に固定された対向する棒受桟１２の間に架け渡されてラック１０に載置される。
【００５４】
棒受桟１２の構成を説明する。図５に示すように、棒受桟１２は、主桟部１２ａ、Ｌ字プレート１２ｂ、ガイド部１２ｃ及び棚部１２ｄにより構成されている。
【００５５】
図２に示すように、主桟部１２ａは、鉛直方向に立設した板状体であって主支柱１１に溶接等によって固定される。
【００５６】
また、図５に示すように、Ｌ字プレート１２ｂは、主桟部１２ａの上端からラック１０内側に折り曲げられて、さらに床面方向に折り曲げられて主桟部１２ａから連続してＬ字状に折り曲げられて構成されている。
【００５７】
また、ガイド部１２ｃは、Ｌ字プレート１２ｂの一部が大きく切り欠かれて、切り欠かれた端部により構成されるものであり、床面に対して先窄まりのＶ字状に端部が構成されている。
【００５８】
ガイド部１２ｃは、Ｌ字プレート１２ｂが切り欠かれてＶ字状の端部が形成されることにより、懸垂具１の端部を適切な位置にガイドして（位置決めして）、ラック１０への懸垂具１の載置を可能とするものである。
【００５９】
また、棚部１２ｄは、Ｌ字プレート１２ｂの下端に連続し、この下端及びガイド部１２ｃの下方から床面に平行かつラック１０の内側方向に延びるプレートによって構成される。棚部１２は、懸垂具１の回転防止片５が載置されることにより、懸垂具１の状態を安定させて、懸垂具１が揺れる又は回動する事態を防止するものである。
【００６０】
また、図２及び図５に示すように、各々の棒受桟１２の両端部には、鉛直方向に個々の棒受桟１２を連結してラック１０の強度を高める枠柱１３が連結されている。
【００６１】
[懸垂具の構成及びドラムスティック等の設置]
図３及び図４を用いて懸垂具１の構成及び作用について説明する。
【００６２】
懸垂具１は、図３に示すように、対向する棒受桟１２の間に架け渡されてドラムスティック等２０を多数懸垂可能とするものであって、大きく、棒状体２、保持部３及び回動防止片５によって構成される。
【００６３】
棒状体２は、対向する棒受桟１２の間の水平方向の架け渡しを果たすものであり、棒状体２の側面には等間隔でドラムスティック等２０の懸垂を行う保持部３が複数備えられている。
【００６４】
保持部３は、図３の円形拡大部に示すように、連結プレート３ｂとフック部３ａにより構成されている。
【００６５】
連結プレート３ｂは、矩形のプレート状に構成されて棒状体２の側面の表面にそのプレート主面の長手面中央の位置を横切るように溶接等で固定されている。
【００６６】
連結プレート３の短手面の両端部からはドラムスティック等２０に突き刺されてドラムスティック等２０を保持する一対のフック部３ａが棒状体２から離れる方向に延び出るように配設されている。
【００６７】
即ち、フック部３ａを備える保持部３は、所定の間隔を空けて複数配され、棒状体２の側方において、棒状体２の軸方向に対して直交方向に延伸して、櫛歯状に配されている。
【００６８】
また、そのため、図３においては、各々の一対のフック部３ａは、各々の連結プレート３ｂを介して棒状体２から棒状体２の軸方向に対して直交方向で棒状体２の左右両方向に離れるように延び出ることにより、棒状体２の右側と左側というように複数の方向に延び出すように配されている。
【００６９】
一対のフック部３ａを構成する個々のフック部３ａは、本実施の形態においては、互いに平行の間隔で連結プレート３ｂから延び出るように配設されている。また、フック部３ａに突き刺されて懸垂状態となったドラムスティック等２０が不意に落下してしまうことを防止するべく、フック部３ｂは途中で折り曲げられてラック１０に載置された状態で鉛直方向上方に向いている。
【００７０】
回動防止片５は、棒状体２に直交するように固定される棒状体２に比して小型の棒状の部材であり、棒状体２の両端部より内側の近傍に各々配設されている。回動防止片５は、棒状体２を介して連結プレート３ｂとは反対の棒状体２の側面の表面に中央で固定されて、棒状体２から離れるように棒状体２の側方に延び出ている。この回動防止片５がラック１０の棒受桟１２の棚部１２ｄに載置されて接触することにより、懸垂具１の状態を安定させて、懸垂具１が揺れる又は回動する事態を防止するものである。
【００７１】
懸垂具１のドラムスティック等２０の懸垂方法を説明する。図４に示すように、フック部３ａは、ドラムスティック２１を突き刺して、一対のフック部３ａがドラムスティック２１を挟持する形態で懸垂状態とする。
【００７２】
ここで、図４においては、他の図と同様に、ドラムスティック２１に対してサイとも呼ばれる上腿部２３が付いた状態、即ち、チキンレッグ２０が懸垂されている。従って、フック部３ａに対して懸垂されるのは、ドラムスティック２１のみならず、ドラムスティック２１に上腿部２３が付いたチキンレッグ２０の何れでも構わない（そのため、前述の如く、ドラムスティック２１単体とチキンレッグ２０の両者を含む概念として本明細書ではドラムスティック等２０の概念を用いている）。また、これらドラムスティック等２０は、鶏、合鴨、七面鳥といった食鳥のものであればその種類を問うものではない。
【００７３】
図３及び図４に示すように、各々の保持部３の一対のフック部３ａの互いの間隔（図３のＬ１）は、ドラムスティック等２０における食鳥の踵側の骨（骨部２２）の関節の膨張部２２ａの幅よりも小に構成される。
【００７４】
また、図４に示すように、一対のフック部３ａの少なくとも一方は、食鳥のドラムスティック２１を膝側が下方となるようにした状態で、踵側の骨部２２における膨張部２２ａの下方近傍で食鳥のドラムスティック２１の皮又は肉部に突き刺されて、一対のフック部３ａによりドラムスティック２１を両側より挟持して、ドラムスティック等２０を食鳥の膝側が下方になるように懸垂する。
【００７５】
即ち、一対のフック部３ａの互いの間隔（図３のＬ１）が、食鳥の踵側の骨（骨部２２）の関節の膨張部２２ａの幅よりも小に構成されるため、懸垂具１に懸垂されたドラムスティック等２０は、膨張部２２ａが一対のフック部３ａにより支持されるとともに、この膨張部２２ａの存在により懸垂具１から落下することが物理的に防止されることとなる。
【００７６】
この場合、大きさが概ね等しい多数の食鳥のドラムスティック等２０を用いて懸垂状態とするが、食鳥の年齢が等しい場合であっても、どうしても個体差があることは避けられない。
【００７７】
そのため、図４に示すように、ドラムスティック２１が小型の場合は、左側のドラムスティック２１のように、一対のフック部３ａの構成中、一方のみがドラムスティック２１の皮又は肉部に突き刺されることとなり、他方のフック部３ａは、ドラムスティック２１の表面側から骨部２２の膨張部２２ａを挟持している。
【００７８】
一方で、図４の中央及び右側のドラムスティック２１に示すように、通常の大きさのドラムスティック２１（又は大型のドラムスティック）の場合は、一対のフック部３ａの両者がドラムスティック２１の皮又は肉部に突き刺されることとなり、骨部２２の膨張部２２ａを挟持している。
【００７９】
従って、食鳥の個体差によりドラムスティック２１が小型であろうと、大型であろうと、一対のフック部３ａの互いの間隔（図３のＬ１）が、食鳥の踵側の骨（骨部２２）の関節の膨張部２２ａの幅よりも小に構成されることにより、懸垂具１に懸垂されたドラムスティック等２０は、膨張部２２ａの存在により懸垂具１から落下することが物理的に防止されることとなる。
【００８０】
この懸垂具１へのドラムスティック等２０の設置作業は、ラック１０とは別の場所で可能である。即ち、ラック１０とは別の支持台等（図示せず）に載置した懸垂具１に対して、まずドラムスティック等２０を設置（懸垂）し、その後、ラック１０に対してドラムスティック等２０が既に懸垂された状態の懸垂具１を載置していく。
【００８１】
［懸垂具のラックへの載置方法］
図５を用いて、ラック１０に対する懸垂具１の載置方法について説明する。
【００８２】
図５に示すように、懸垂具１は、その棒状体２の両端部がラック１０の対向する各々の棒受桟１２のガイド部１２ｃ上に載置される。ガイド部１２ｃは、Ｌ字プレート１２ｂが切り欠かれたＶ字状の端部によって構成され、Ｖ字状に構成されていることにより、棒状体２が自然と適切な位置にガイドされて（位置決めされて）、ラック１０への懸垂具１の載置が完了する。
【００８３】
この場合、懸垂具１の回動防止片５は、棒受桟１２の棚部１２ｄに載置される。この回動防止片５が棚部１２ｄに載置されて接触することにより、懸垂具１の状態を安定させて、懸垂具１が揺れる又は回動する事態が防止される。
【００８４】
そのため、ガイド部１２ｃのＶ字状の端面の頂点１２ｃ１と棚部１２ｄとの離間距離は、回転防止片５の厚みと一致している。
【００８５】
［本発明に係る第２の実施形態］
以下に、第２の実施形態に係るドラムスティック懸垂具及びドラムスティック懸垂具とこれを設置するためのラックの組について図６を用いて説明する。図６は、本発明の第２の実施形態に係る懸垂具のフック部を示す斜視図である。この第２の実施形態において、第１実施の形態と同様な部分は、同一の符号を付してその説明を省略する。
【００８６】
第２の実施形態においては、懸垂具１における一対のフック部の互いの距離が第１の実施形態と異なる。即ち、第１の実施形態においては、一対のフック部３ａは互いに平行に配されていたが、第２の実施形態においては、一対のフック部３３ａは、互いのフック部３３ａ間の距離が、棒状体２から離れるに従い、漸次離間するように配されている。
【００８７】
そのため、連結プレート３ｂ側における一対のフック部３３ａの互いの距離Ｌ１１は、連結プレート３ｂから離れるにつれて漸次離間し、フック部３３ａ先端側における互いの距離Ｌ１２は、Ｌ１１よりも大きくなっている（Ｌ１２＞Ｌ１１）。
【００８８】
この場合、少なくとも連結プレート３ｂ側における一対のフック部３３ａの互いの距離Ｌ１１は、ドラムスティック等２０における食鳥の踵側の骨（骨部２２）の関節の膨張部２２ａの幅よりも小に構成される。これにより、懸垂具１に懸垂されたドラムスティック等２０は、膨張部２２ａの存在により懸垂具１から落下することが物理的に防止されることとなる。
【００８９】
また、一対のフック部３３ａは、互いのフック部３３ａ間の距離が、棒状体２から離れるに従い、漸次離間するように配されているため、一対のフック部３ａが互いに平行に配され、互いの距離が変わらない第１の実施形態に対して、食鳥の大きさ等にばらつきがある場合であっても、種々の大きさのドラムスティック等２０に対応可能であり、そのような食鳥の個体差が大きい場合であっても一対のフック部３３ａに対してドラムスティック等２０を設置することが可能となる。
【００９０】
そのため、図６においては、互いのフック部３３ａ間の距離が、棒状体２から離れるに従い、漸次離間するように配されているため、一対のフック部３３ａのうち、一方のフック部３３ａのみがドラムスティック等２０の関節（骨部２２）の膨張部２２ａの下方の皮又は肉部に突き刺され、他方のフック部３３ａは、ドラムスティック２１の表面側から骨部２２の膨張部２２ａを支持している。
【００９１】
この発明は、その本質的特性から逸脱することなく、数多くの形式のものとして具体化することができる。よって、上述した実施形態は専ら説明上のものであり、本発明を制限するものではないことは言うまでもない。
【符号の説明】
【００９２】
１            ドラムスティック懸垂具（懸垂具）
２            棒状体
３            保持部
３ａ，３３ａ  フック部
３ｂ          連結プレート
５            回動防止片
１０          ラック
１１          主支柱
１２          棒受桟
１２ａ        主桟部
１２ｂ        Ｌ字プレート
１２ｃ        ガイド部
１２ｃ１      頂点
１２ｄ        棚部
１３          枠柱
１５          上部連結桟
１６          下部連結桟
１７          支持桟
１８          車輪
２０          チキンレッグ（ドラムスティック等）
２１          ドラムスティック
２２          骨部
２２ａ        膨張部
２３          上腿部
１１０        ラック
１１１        主支柱
１１２        載置部
１１２ａ      網部
１１３        敷紙
１１５        ゼラチン状の肉汁
【要約】
【課題】多数の食鳥のドラムスティック等に対して、燻煙・燻蒸等の処理をするにあたり、より多くのドラムスティック等をより効率よく処理するためのドラムスティック懸垂具及びこれを用いたラックを提供すること。
【解決手段】ラック１０のフレームに水平方向に架け渡してラック内に設置可能な棒状体２と、ドラムスティック等２０を保持して懸垂させる複数の保持部３と、を備え、保持部３は、一対のフック部を備え、一対のフック部は、少なくとも一方のフック部がドラムスティック等２０の皮又は肉部に突き刺し可能に構成され、かつ、一対のフック部の互いの間隔は、少なくとも一部がドラムスティック等２０の踵側の骨の関節の膨張部の幅よりも小に構成されることにより、ドラムスティック等２０を懸垂する。
【選択図】図２【図１】
0006002356.tif 000002
【図２】
0006002356.tif 000003
【図３】
0006002356.tif 000004
【図４】
0006002356.tif 000005
【図５】
0006002356.tif 000006
【図６】
0006002356.tif 000007
【図７】
0006002356.tif 000008